(57)【要約】【課題】電力の変換効率が悪くなることを抑制できる、画像処理装置を提供する。【解決手段】画像処理部１１への電力供給が必要である通常モードでは、ＡＣ−ＤＣコンバータ３２からの直流電圧が画像処理部１１に供給される。ＵＳＢコネクタ２２に接続された外部機器からの給電要求に応じた電圧は、出力可変ＤＣ−ＤＣコンバータ３３から給電端子を介して外部機器へ出力される。画像処理部１１への電力供給が不要である省電力モードでは、ＵＳＢコネクタ２２に接続された外部機器からの給電要求に応じた電圧は、出力可変ＤＣ−ＤＣコンバータ３３を介さずに、ＡＣ−ＤＣコンバータ３２から外部機器へ出力される。【選択図】図１
2020057119.tif 000002
【特許請求の範囲】
【請求項１】
画像処理を行う画像処理部と、
外部機器が接続可能であって、前記外部機器に電力を給電する給電端子と、前記外部機器との通信に使用される通信端子と、を有するＵＳＢコネクタと、
商用電源から供給される交流電圧を第１直流電圧に変換して、前記第１直流電圧を出力するＡＣ−ＤＣコンバータと、前記ＡＣ−ＤＣコンバータから入力される前記第１直流電圧を第２直流電圧に変換して、前記第２直流電圧を出力するＤＣ−ＤＣコンバータであって、その出力する前記第２直流電圧が可変に構成される出力可変ＤＣ−ＤＣコンバータと、を含む電源部と、
前記ＡＣ−ＤＣコンバータの出力が前記画像処理部に出力され、かつ、前記出力可変ＤＣ−ＤＣコンバータの出力が前記給電端子に出力される第１切替状態、又は、前記ＡＣ−ＤＣコンバータの出力が前記給電端子に出力される第２切替状態のいずれかの状態に切り替えられる切替スイッチ部と、
制御部と、
を備え、
前記制御部は、
前記通信端子を介して前記外部機器からの給電要求を受信し、
前記画像処理部への電力が前記ＡＣ−ＤＣコンバータから供給される通常モードである場合、
前記切替スイッチ部を前記第１切替状態とし、前記ＡＣ−ＤＣコンバータからの前記第１直流電圧を前記画像処理部へ出力させ、前記給電要求に応じた前記第２直流電圧を前記出力可変ＤＣ−ＤＣコンバータから前記給電端子を介して前記外部機器へ出力させ、
前記画像処理部への電力が前記ＡＣ−ＤＣコンバータから供給されない省電力モードである場合、
前記切替スイッチ部を前記第２切替状態とし、前記給電要求に応じた前記第１直流電圧を前記ＡＣ−ＤＣコンバータから前記給電端子を介して前記外部機器へ出力させる、
ことを特徴とする画像処理装置。
【請求項２】
画像処理を行う画像処理部と、
外部機器が接続可能であって、前記外部機器に電力を給電する給電端子と、前記外部機器との通信に使用される通信端子と、を有するＵＳＢコネクタと、
商用電源から供給される交流電圧を第１直流電圧に変換して、前記第１直流電圧を出力するＡＣ−ＤＣコンバータと、前記ＡＣ−ＤＣコンバータから入力される前記第１直流電圧を第２直流電圧に変換して、前記第２直流電圧を出力するＤＣ−ＤＣコンバータであって、その出力する前記第２直流電圧が可変に構成される出力可変ＤＣ−ＤＣコンバータと、を含む電源部と、
前記ＡＣ−ＤＣコンバータの出力が前記画像処理部に出力され、かつ、前記出力可変ＤＣ−ＤＣコンバータの出力が前記給電端子に出力される第１切替状態、又は、前記ＡＣ−ＤＣコンバータの出力が前記給電端子に出力される第２切替状態のいずれかの状態に切り替えられる切替スイッチ部と、
制御部と、
を備え、
前記制御部は、
前記通信端子を介して前記外部機器からの給電要求を受信し、
前記給電要求に応じた電力の電圧値が所定以下である場合、
前記切替スイッチ部を前記第１切替状態とし、前記ＡＣ−ＤＣコンバータからの前記第１直流電圧を前記画像処理部へ出力させ、前記給電要求に応じた前記第２直流電圧を前記出力可変ＤＣ−ＤＣコンバータから前記給電端子を介して前記外部機器へ出力させ、
前記給電要求に応じた電力の電圧値が所定よりも大きい場合、
前記切替スイッチ部を前記第２切替状態とし、前記給電要求に応じた前記第２直流電圧を前記ＡＣ−ＤＣコンバータから前記給電端子を介して前記外部機器へ出力させる、
ことを特徴とする画像処理装置。
【請求項３】
請求項１に記載の画像処理装置であって、
前記制御部は、
前記出力可変ＤＣ−ＤＣコンバータが前記給電要求に応じた電圧を出力している場合において、前記通常モードから前記省電力モードに移行する場合、
前記出力可変ＤＣ−ＤＣコンバータに、前記給電要求に応じた電圧に所定電圧を加えた電圧の出力を指示し、前記ＡＣ−ＤＣコンバータに、前記給電要求に応じた電圧の出力を指示し、その後、前記切替スイッチ部を前記第１切替状態から前記第２切替状態に切り替える、
ことを特徴とする画像処理装置。
【請求項４】
請求項１又は３に記載の画像処理装置であって、
前記制御部は、
前記省電力モードで前記ＡＣ−ＤＣコンバータが前記給電要求に応じた電圧を出力している場合において、前記省電力モードから前記通常モードに移行する場合、
前記ＡＣ−ＤＣコンバータに、前記給電要求に応じた電圧に所定電圧を加えた電圧の出力を指示し、前記出力可変ＤＣ−ＤＣコンバータに、前記給電要求に応じた電圧の出力を指示し、その後、前記切替スイッチ部を前記第２切替状態から前記第１切替状態に切り替える、
ことを特徴とする画像処理装置。
【請求項５】
請求項２に記載の画像処理装置であって、
前記制御部は、
前記画像処理部の駆動電力と前記給電要求に応じた電力とを比較し、
前記給電要求に応じた電力が前記給電要求に応じた電力以下である場合、前記切替スイッチ部を前記第１切替状態とし、
前記給電要求に応じた電力が前記給電要求に応じた電力よりも大きい場合、前記切替スイッチ部を前記第２切替状態とする、
ことを特徴とする画像処理装置。
【請求項６】
請求項２又は５に記載の画像処理装置であって、
前記切替スイッチ部は、
前記第２切替状態において、更に、前記出力可変ＤＣ−ＤＣコンバータが前記画像処理部に接続する、
ことを特徴とする画像処理装置。
【請求項７】
請求項１〜６のいずれか一項に記載の画像処理装置であって、
前記ＵＳＢコネクタは、ＵＳＢインタフェースに設けられ、
前記ＵＳＢインタフェースには、前記ＵＳＢコネクタに接続される前記外部機器への給電を制御するコントローラが設けられ、
前記制御部は、前記コントローラである、
ことを特徴とする画像処理装置。
【請求項８】
請求項７に記載の画像処理装置であって、
前記切替スイッチ部は、前記ＵＳＢインタフェースに設けられている、
ことを特徴とする画像処理装置。
【発明の詳細な説明】
【技術分野】
【０００１】
本発明は、画像処理装置に関する。
【背景技術】
【０００２】
従来、インクジェットプリンタなどの画像処理装置には、電源装置が備えられている。電源装置は、商用電源から供給される交流電圧を直流電圧に変換するＡＣ−ＤＣコンバータと、ＡＣ−ＤＣコンバータが出力する直流電圧を所定の直流電圧に更に変換する複数のＤＣ−ＤＣコンバータとを有している。たとえば、特許文献１に記載の電源装置では、交流電圧からモータドライバやインクを吐出する記録ヘッドに供給される直流電圧が生成され、更に、その直流電圧がＤＣ−ＤＣコンバータで３．３Ｖや１．５Ｖの直流電圧に変換される。
【０００３】
近年、ＵＳＢ−ＰＤ（Universal Serial Bus - Power Delivery）規格を満たす装置がある。その装置では、その装置に接続されている給電先の給電要求に応じて、５Ｖから２０Ｖの様々な電圧、１５Ｗから１００Ｗまでの範囲の様々な電力を給電する必要がある。
【先行技術文献】
【特許文献】
【０００４】
【特許文献１】特開２０１３−３４３６５号公報
【発明の概要】
【発明が解決しようとする課題】
【０００５】
従来の画像処理装置に、ＡＣ−ＤＣコンバータが出力する直流電圧を変換するためにＵＳＢ−ＰＤ給電専用のＤＣ−ＤＣコンバータを新たに設けて、そのＵＳＢ−ＰＤ給電専用のＤＣ−ＤＣコンバータから電力を給電先に給電する構成が考えられる。しかし、給電先から要求される給電要求の電力値や画像処理装置の状況によっては、ＵＳＢ−ＰＤ給電専用のＤＣ−ＤＣコンバータからの電力の変換効率が悪くなる場合がある。
【０００６】
本発明の目的は、電力の変換効率が悪くなることを抑制できる、画像処理装置を提供することである。
【課題を解決するための手段】
【０００７】
前記の目的を達成するため、本発明の一の局面に係る画像処理装置は、画像処理を行う画像処理部と、外部機器が接続可能であって、外部機器に電力を給電する給電端子と、外部機器との通信に使用される通信端子と、を有するＵＳＢコネクタと、商用電源から供給される交流電圧を第１直流電圧に変換して、第１直流電圧を出力するＡＣ−ＤＣコンバータと、ＡＣ−ＤＣコンバータから入力される第１直流電圧を第２直流電圧に変換して、第２直流電圧を出力するＤＣ−ＤＣコンバータであって、その出力する第２直流電圧が可変に構成される出力可変ＤＣ−ＤＣコンバータと、を含む電源部と、ＡＣ−ＤＣコンバータの出力が画像処理部に出力され、かつ、出力可変ＤＣ−ＤＣコンバータの出力が給電端子に出力される第１切替状態、又は、ＡＣ−ＤＣコンバータの出力が給電端子に出力される第２切替状態のいずれかの状態に切り替えられる切替スイッチ部と、制御部と、を備え、制御部は、通信端子を介して外部機器からの給電要求を受信し、画像処理部への電力がＡＣ−ＤＣコンバータから供給される通常モードである場合、切替スイッチ部を第１切替状態とし、ＡＣ−ＤＣコンバータからの第１直流電圧を画像処理部へ出力させ、給電要求に応じた第２直流電圧を出力可変ＤＣ−ＤＣコンバータから給電端子を介して外部機器へ出力させ、画像処理部への電力がＡＣ−ＤＣコンバータから供給されない省電力モードである場合、切替スイッチ部を第２切替状態とし、給電要求に応じた第１直流電圧をＡＣ−ＤＣコンバータから給電端子を介して外部機器へ出力させる、ことを特徴とする。
【０００８】
画像処理部への電力供給が必要である通常モードでは、ＡＣ−ＤＣコンバータからの直流電圧が画像処理部に供給される。ＵＳＢコネクタに接続された外部機器からの給電要求に応じた電圧は、出力可変ＤＣ−ＤＣコンバータから給電端子を介して外部機器へ出力される。
【０００９】
画像処理部への電力供給が不要である省電力モードでは、ＵＳＢコネクタに接続された外部機器からの給電要求に応じた電圧は、出力可変ＤＣ−ＤＣコンバータを介さずに、ＡＣ−ＤＣコンバータから外部機器へ出力される。ＡＣ−ＤＣコンバータが出力する直流電圧を出力可変ＤＣ−ＤＣコンバータによって更に変換せずに、給電要求に応じた電圧をＡＣ−ＤＣコンバータから外部機器へ直接に出力することができるので、電力の変換効率が悪くなることを抑制できる。
【００１０】
本発明の他の局面に係る画像処理装置は、画像処理を行う画像処理部と、外部機器が接続可能であって、外部機器に電力を給電する給電端子と、外部機器との通信に使用される通信端子と、を有するＵＳＢコネクタと、商用電源から供給される交流電圧を第１直流電圧に変換して、第１直流電圧を出力するＡＣ−ＤＣコンバータと、ＡＣ−ＤＣコンバータから入力される第１直流電圧を第２直流電圧に変換して、第２直流電圧を出力するＤＣ−ＤＣコンバータであって、その出力する第２直流電圧が可変に構成される出力可変ＤＣ−ＤＣコンバータと、を含む電源部と、ＡＣ−ＤＣコンバータの出力が画像処理部に出力され、かつ、出力可変ＤＣ−ＤＣコンバータの出力が給電端子に出力される第１切替状態、又は、ＡＣ−ＤＣコンバータの出力が給電端子に出力される第２切替状態のいずれかの状態に切り替えられる切替スイッチ部と、制御部と、を備え、制御部は、通信端子を介して外部機器からの給電要求を受信し、給電要求に応じた電力の電圧値が所定以下である場合、切替スイッチ部を第１切替状態とし、ＡＣ−ＤＣコンバータからの第１直流電圧を画像処理部へ出力させ、給電要求に応じた第２直流電圧を出力可変ＤＣ−ＤＣコンバータから給電端子を介して外部機器へ出力させ、給電要求に応じた電力の電圧値が所定よりも大きい場合、切替スイッチ部を第２切替状態とし、給電要求に応じた第２直流電圧をＡＣ−ＤＣコンバータから給電端子を介して外部機器へ出力させる、ことを特徴とする。
【００１１】
ＵＳＢコネクタに接続された外部機器からの給電要求に応じた電力が所定以下である場合、ＡＣ−ＤＣコンバータからの直流電圧が画像処理部に供給される。給電要求に応じた電圧は、出力可変ＤＣ−ＤＣコンバータから給電端子を介して外部機器へ出力される。
【００１２】
ＵＳＢコネクタに接続された外部機器からの給電要求に応じた電力が所定よりも大きい場合、給電要求に応じた電圧は、出力可変ＤＣ−ＤＣコンバータを介さずに、ＡＣ−ＤＣコンバータから外部機器へ出力される。ＡＣ−ＤＣコンバータが出力する直流電圧を出力可変ＤＣ−ＤＣコンバータによって更に変換させずに、給電要求に応じた電圧をＡＣ−ＤＣコンバータから外部機器へ直接に出力することができるので、電力の変換効率が悪くなることを抑制できる。
【発明の効果】
【００１３】
本発明によれば、電力の変換効率が悪くなることを抑制できる。
【図面の簡単な説明】
【００１４】
【図１】本発明の一実施形態に係る画像処理装置の電気的構成を示す図である。
【図２】図１に示される画像処理装置における給電制御の流れを示すフローチャートである。
【図３】省電力モード処理の流れを示すフローチャートである。
【図４】省電力モード解除処理の流れを示すフローチャートである。
【図５】本発明の他の実施形態に係る画像処理装置の電気的構成を示す図である。
【図６】図５に示される画像処理装置における給電制御の流れを示すフローチャートである。
【図７】図１に示される画像処理装置の変形例を示す図である。
【発明を実施するための形態】
【００１５】
以下では、本発明の実施の形態について、添付図面を参照しつつ詳細に説明する。
【００１６】
＜画像処理装置の構成＞
図１に示される画像処理装置１は、外部の商用電源から電源コード２を介して供給される交流電力で動作する装置である。画像処理装置１は、モータＭの動力で駆動される画像処理部１１を備えている。画像処理部１１は、たとえば、画像処理装置１の外殻をなす筐体内の搬送経路に沿って１枚ずつ搬送されるシートに画像を形成する画像形成部である。
【００１７】
画像処理装置１は、ＡＳＩＣ（Application Specific Integrated Circuit）１２、ＲＯＭ（Read Only Memory）１３およびＲＡＭ（Random Access Memory）１４を備えている。
【００１８】
ＡＳＩＣ１２（制御部の一例）は、ＣＰＵを内蔵している。ＲＯＭ１３は、フラッシュメモリなどの書き換え可能な不揮発性メモリからなる。ＲＯＭ１３には、ＡＳＩＣ１２によって実行されるプログラムや各種のデータなどが記憶されている。ＲＡＭ１４は、ＤＲＡＭ（Dynamic Random Access Memory）などの揮発性メモリであり、ＡＳＩＣ１２がプログラムを実行する際のワークエリアとして使用される。
【００１９】
また、画像処理装置１は、ＵＳＢ（Universal Serial Bus）インタフェース２１を備えている。ＵＳＢインタフェース２１は、外部機器をＵＳＢ接続するためのインタフェースであり、ＵＳＢ−ＰＤ（Power Delivery）規格に準じている。ＵＳＢインタフェース２１には、ＵＳＢコネクタ２２、スイッチ２３およびコントローラ２４が設けられている。
【００２０】
ＵＳＢコネクタ２２は、Ｔｙｐｅ−Ｃコネクタのメス側であり、オス側を受け入れる受入口が筐体から外部に露出するように配置されている。ＵＳＢコネクタ２２は、ＶＢＵＳ端子、ＣＣ１端子、ＣＣ２端子、ＴＸ端子、ＲＸ端子およびＧＮＤ端子などを有している。
【００２１】
スイッチ２３は、ＵＳＢコネクタ２２のＶＢＵＳ端子に接続される電源ライン２５に設けられている。スイッチ２３のオンおよびオフの切り替えにより、電源ライン２５が開閉される。
【００２２】
コントローラ２４は、ＵＳＢコネクタ２２のＣＣ１端子、ＣＣ２端子、ＴＸ端子およびＲＸ端子と配線で接続されている。コントローラ２４は、ＵＳＢコネクタ２２に接続された外部機器との間でＴＸ端子およびＲＸ端子を介してデータ通信を行う。また、コントローラ２４は、ＵＳＢコネクタ２２に接続された外部機器への給電を制御するため、スイッチ２３のオンおよびオフの切り替えを制御する。
【００２３】
外部機器への給電に際して、コントローラ２４は、ＵＳＢコネクタ２２に接続された外部機器との間でＣＣ１端子およびＣＣ２端子を介してネゴシエーションを行う。ネゴシエーションでは、コントローラ２４から外部機器に、パワールールに従って外部機器に供給可能な電圧値および電流値が通知される。パワールールでは、ＤＣ５Ｖ、ＤＣ９Ｖ、ＤＣ１２ＶおよびＤＣ２０Ｖの電圧を外部機器に供給可能であり、ＤＣ５Ｖ、ＤＣ９ＶおよびＤＣ１２Ｖでの最大電流が３Ａに規定され、ＤＣ２０Ｖでの最大電流が５Ａに規定されている。外部機器では、通知された電圧値および電流値から要求電力に応じた電圧値と電流値との組合せが選択される。そして、その電圧値と電流値との組合せによる給電要求が外部機器からコントローラ２４に通知される。
【００２４】
画像処理装置１は、電源部３１を備えている。電源部３１には、ＡＣ−ＤＣコンバータ３２、出力可変ＤＣ−ＤＣコンバータ３３、ＤＣ−ＤＣコンバータ３４および切替スイッチ部３５が含まれる。
【００２５】
ＡＣ−ＤＣコンバータ３２は、整流平滑回路などを備えている。ＡＣ−ＤＣコンバータ３２の入力端子４１には、外部の商用電源から電源コード２を介して供給される交流電圧が入力される。ＡＣ−ＤＣコンバータ３２は、入力端子４１に入力される交流電圧をＡＳＩＣ１２からの指示に従った直流電圧に変換して、その変換後の直流電圧を出力端子４２から出力する。
【００２６】
出力可変ＤＣ−ＤＣコンバータ３３は、リニアレギュレータなどを備えている。出力可変ＤＣ−ＤＣコンバータ３３の入力端子４３には、配線４４が接続されており、ＡＣ−ＤＣコンバータ３２の出力端子４２から出力される直流電圧が配線４４を介して入力される。出力可変ＤＣ−ＤＣコンバータ３３は、入力端子４３に入力される直流電圧をＡＳＩＣ１２からの指示に従った直流電圧に変換して、その変換後の直流電圧を出力端子４５から出力する。
【００２７】
ＤＣ−ＤＣコンバータ３４は、リニアレギュレータなどを備えている。ＤＣ−ＤＣコンバータ３４の入力端子４６には、配線４７が接続されており、ＡＣ−ＤＣコンバータ３２の出力端子４２から出力される直流電圧が配線４７を介して入力される。ＤＣ−ＤＣコンバータ３４は、入力端子４６に入力される直流電圧を一定の直流電圧（ＤＣ３．３Ｖ）に変換して、その変換後の直流電圧を出力端子４８から出力する。
【００２８】
切替スイッチ部３５は、第１入力端子５１、第２入力端子５２、第１出力端子５３および第２出力端子５４を備えている。第１入力端子５１には、配線５５を介して、ＡＣ−ＤＣコンバータ３２の出力端子４２が接続されている。第２入力端子５２には、配線５６を介して、出力可変ＤＣ−ＤＣコンバータ３３の出力端子４５が接続されている。第１出力端子５３には、配線５７の一端が接続されている。配線５７の他端は、モータＭへの給電を制御するモータドライバ５８に接続されている。第２出力端子５４には、電源ライン２５が接続されている。
【００２９】
切替スイッチ部３５は、第１切替状態と第２切替状態とに切替可能に構成されている。
【００３０】
第１切替状態では、第１入力端子５１と第１出力端子５３とが接続され、第２入力端子５２と第２出力端子５４とが接続される。これにより、第１切替状態では、ＡＣ−ＤＣコンバータ３２の出力端子４２から出力される直流電圧がモータドライバ５８に入力され、出力可変ＤＣ−ＤＣコンバータ３３の出力端子４５から出力される直流電圧が電源ライン２５に入力される。
【００３１】
第２切替状態では、第１入力端子５１と第２出力端子５４とが接続される。これにより、第２切替状態では、ＡＣ−ＤＣコンバータ３２の出力端子４２から出力される直流電圧が電源ライン２５に入力される。
【００３２】
＜給電制御＞
画像処理装置１の電源がオンにされると、画像処理装置１の各部への給電を制御するため、ＡＳＩＣ１２により、図２に示される給電制御が実行される。また、画像処理装置１では、電力消費モードとして、通常モードと、通常モードよりも消費電力の低い省電力モードとが設けられており、画像処理装置１の電源がオンにされた直後は、電力消費モードが通常モードに設定される。通常モードでは、切替スイッチ部３５が第１切替状態になっている。
【００３３】
給電制御では、ＡＳＩＣ１２は、給電フラグをオフにする（Ｓ１）。給電フラグは、ＲＡＭ１４に設けられた１ビットの情報が書き込まれる領域である。給電フラグのオフは、その領域に「０」が書き込まれることを意味し、給電フラグのオンは、その領域に「１」が書き込まれることを意味する。
【００３４】
次いで、ＡＳＩＣ１２は、ＵＳＢコネクタ２２に外部機器が接続されているか否かを判断し、外部機器が接続されていると判断した場合にはさらに、その外部機器からの給電の要求の有無を判断する（Ｓ２）。ＵＳＢインタフェース２１のコントローラ２４と外部機器との間でのネゴシエーションで外部機器からコントローラ２４にパワールールに従った電圧値および電流値による給電要求が通知されると、その給電要求がコントローラ２４からＡＳＩＣ１２に通知される。
【００３５】
ＡＳＩＣ１２は、ＵＳＢコネクタ２２に外部機器が接続され、外部機器から給電要求を受けていると判断した場合（Ｓ２：ＹＥＳ）、給電要求に応じた電圧の出力を出力可変ＤＣ−ＤＣコンバータ３３に指示する（Ｓ３）。これにより、給電要求に応じた電圧が出力可変ＤＣ−ＤＣコンバータ３３から出力される。また、ＡＳＩＣ１２は、給電フラグをオンにする（Ｓ４）。
【００３６】
切替スイッチ部３５が第１切替状態であるから、出力可変ＤＣ−ＤＣコンバータ３３の出力端子４５から出力される電圧は、切替スイッチ部３５の第２入力端子５２に入力され、切替スイッチ部３５の第２出力端子５４から電源ライン２５に出力され、ＵＳＢコネクタ２２のＶＢＵＳ端子を介して外部機器に供給される。
【００３７】
その後、ＡＳＩＣ１２は、画像処理装置１と通信可能に接続されたＰＣ（パーソナルコンピュータ）などの外部端末から、画像形成命令、つまりシートに画像を形成する画像形成処理の実行命令を受けたか否かを判断する（Ｓ５）。ＡＳＩＣ１２は、画像形成命令を受けたと判断した場合（Ｓ５：ＹＥＳ）、画像処理部１１を制御して、画像形成処理を実行する（Ｓ６）。このとき、ＡＳＩＣ１２からＡＣ−ＤＣコンバータ３２にＤＣ３３Ｖの電圧の出力が指示されて、ＡＣ−ＤＣコンバータ３２の出力端子４２から出力されるＤＣ３３Ｖの電圧がモータドライバ５８に供給されている。
【００３８】
画像形成処理の終了後、ＡＳＩＣ１２は、画像処理装置１の電源がオフにされたか否かを判断する（Ｓ７）。ＡＳＩＣ１２は、電源がオフにされていないと判断した場合（Ｓ７：ＮＯ）、ＵＳＢコネクタ２２に接続された外部機器からの給電の要求の有無を再び判断する（Ｓ２）。
【００３９】
ＡＳＩＣ１２は、ＵＳＢコネクタ２２に外部機器が接続されていないか、または、ＵＳＢコネクタ２２に接続されている外部機器から給電要求を受けていないと判断した場合（Ｓ２：ＮＯ）、給電フラグがオンであるか否かを判断する（Ｓ８）。
【００４０】
ＡＳＩＣ１２は、給電フラグがオフであると判断した場合（Ｓ８：ＮＯ）、画像形成命令を受けたか否かを判断する（Ｓ５）。給電フラグがオンであるとき、ＵＳＢコネクタ２２に接続されている外部機器への給電が行われている。ＡＳＩＣ１２は、給電フラグがオンであると判断した場合（Ｓ８：ＹＥＳ）、外部機器からの給電停止要求があったか否かを判断する（Ｓ９）。
【００４１】
外部機器からコントローラ２４に給電停止要求が通知されると、その給電停止要求がコントローラ２４からＡＳＩＣ１２に通知される。ＡＳＩＣ１２は、コントローラ２４から給電停止要求の通知を受けていない場合、外部機器からの給電停止要求はないと判断し（Ｓ９：ＮＯ）、画像形成命令を受けたか否かを判断する（Ｓ５）。
【００４２】
ＡＳＩＣ１２は、コントローラ２４から給電停止要求の通知を受けており、外部機器からの給電停止要求があったと判断した場合（Ｓ９：ＹＥＳ）、出力可変ＤＣ−ＤＣコンバータ３３に給電停止を指示する。給電停止の指示を受けて、出力可変ＤＣ−ＤＣコンバータ３３の出力端子４５からの電圧の出力が停止し、ＵＳＢコネクタ２２のＶＢＵＳ端子から外部機器への給電が停止する（Ｓ１０）。また、ＡＳＩＣ１２は、給電フラグをオフにする（Ｓ１１）。その後、ＡＳＩＣ１２は、画像形成命令を受けたか否かを判断する（Ｓ５）。
【００４３】
ＡＳＩＣ１２は、画像形成命令を受けていないと判断した場合（Ｓ５：ＮＯ）、前回の画像形成処理の終了から所定時間が経過したか否かを判断する（Ｓ１２）。ＡＳＩＣ１２は、所定時間が経過していないと判断した場合（Ｓ１２：ＮＯ）、ＵＳＢコネクタ２２に接続された外部機器からの給電の要求の有無を再び判断する（Ｓ２）。
【００４４】
ＡＳＩＣ１２は、前回の画像形成処理の終了から所定時間が経過したと判断した場合（Ｓ１２：ＹＥＳ）、省電力モード処理を実行する（Ｓ１３）。省電力モード処理については、次に説明する。省電力モード処理の実行後、ＡＳＩＣ１２は、画像処理装置１の電源がオフにされたか否かを判断する（Ｓ７）。ＡＳＩＣ１２は、電源がオフにされていないと判断した場合（Ｓ７：ＮＯ）、ＵＳＢコネクタ２２に接続された外部機器からの給電の要求の有無を再び判断し（Ｓ２）、電源がオフにされたと判断した場合（Ｓ７：ＹＥＳ）、給電制御を終了する。
【００４５】
＜省電力モード処理＞
図２のＳ１３で実行される省電力モード処理の流れは、図３に示されている。
【００４６】
省電力モード処理では、ＡＳＩＣ１２は、給電フラグがオンであるか否かを判断する（Ｓ１３０１）。ＡＳＩＣ１２は、給電フラグがオンであると判断した場合（Ｓ１３０１：ＹＥＳ）、つまりＵＳＢコネクタ２２に接続された外部機器への給電中である場合、出力可変ＤＣ−ＤＣコンバータ３３に外部機器からの給電要求に応じた電圧に所定電圧αを加えた電圧の出力を指示する（Ｓ１３０２）。これにより、出力可変ＤＣ−ＤＣコンバータ３３の出力端子４５から給電要求に応じた電圧＋αの電圧が出力される。また、ＡＳＩＣ１２は、ＡＣ−ＤＣコンバータ３２に外部機器からの給電要求に応じた電圧の出力を指示する（Ｓ１３０３）。この指示を受けて、ＡＣ−ＤＣコンバータ３２の出力端子４２から出力される電圧がＤＣ３３Ｖから給電要求に応じた電圧に低下し、画像処理装置１の電力消費モードが通常モードから省電力モードに移行する。
【００４７】
そして、出力可変ＤＣ−ＤＣコンバータ３３から給電要求に応じた電圧＋αの電圧が出力され、ＡＣ−ＤＣコンバータ３２から給電要求に応じた電圧が出力されている状態において、ＡＳＩＣ１２は、切替スイッチ部３５を第１切替状態から第２切替状態に切り替える（Ｓ１３０４）。切替スイッチ部３５が第２切替状態に切り替わると、ＡＣ−ＤＣコンバータ３２の出力端子４２がモータドライバ５８に接続されている状態から電源ライン２５に接続されている状態に切り替わる。その結果、ＡＣ−ＤＣコンバータ３２の出力端子４２から出力される給電要求に応じた電圧が電源ライン２５に出力され、その電圧がＵＳＢコネクタ２２のＶＢＵＳ端子を介して外部機器に供給される。
【００４８】
一方、ＡＳＩＣ１２は、省電力モード処理の開始の時点で給電フラグがオフであると判断した場合（Ｓ１３０１：ＮＯ）、切替スイッチ部３５を第１切替状態から第２切替状態に切り替えて（Ｓ１３０５）、ＡＣ−ＤＣコンバータ３２の出力端子４２がモータドライバ５８に接続されている状態から電源ライン２５に接続されている状態に切り替える。そして、ＡＳＩＣ１２は、ＡＣ−ＤＣコンバータ３２にＤＣ５Ｖの電圧の出力を指示する（Ｓ１３０６）。これにより、ＡＣ−ＤＣコンバータ３２の出力端子４２から電源ライン２５にＤＣ５Ｖの電圧が出力される。そのため、ＵＳＢコネクタ２２に外部機器が接続されたときに、コントローラ２４は、スイッチ２３をオンにして、外部機器とのネゴシエーションを開始することができる。また、ＡＣ−ＤＣコンバータ３２の出力端子４２から出力される電圧がＤＣ３３ＶからＤＣ５Ｖに低下した結果、画像処理装置１の電力消費モードが通常モードから省電力モードに移行する。
【００４９】
その後、ＡＳＩＣ１２は、ＵＳＢコネクタ２２に外部機器が接続されているか否かを判断し、外部機器が接続されていると判断した場合にはさらに、その外部機器からの給電の要求の有無を判断する（Ｓ１３０７）。ＡＳＩＣ１２は、ＵＳＢコネクタ２２に外部機器が接続され、外部機器から給電要求を受けていると判断した場合（Ｓ１３０７：ＹＥＳ）、給電要求に応じた電圧の出力をＡＣ−ＤＣコンバータ３２に指示する（Ｓ１３０８）。これにより、給電要求に応じた電圧がＡＣ−ＤＣコンバータ３２から出力される。また、ＡＳＩＣ１２は、給電フラグをオンにする（Ｓ１３０９）。
【００５０】
そして、ＡＳＩＣ１２は、省電力モードの解除条件が成立したか否かを判断する（Ｓ１３１０）。省電力モードの解除条件は、たとえば、画像処理装置１と通信可能に接続された外部端末から画像形成命令を受けたことであってもよいし、画像処理装置１に設けられた操作部が操作されたことであってもよい。ＡＳＩＣ１２は、省電力モードの解除条件が成立したと判断した場合（Ｓ１３１０：ＹＥＳ）、省電力モード解除処理を実行する（Ｓ１３１１）。省電力モード解除処理の実行後、省電力モード処理が終了となり、ＡＳＩＣ１２が実行する処理が給電制御に戻る。省電力モード解除処理については、後述する。
【００５１】
ＡＳＩＣ１２は、省電力モードの解除条件が成立していないと判断した場合（Ｓ１３１０：ＮＯ）、ＵＳＢコネクタ２２に接続された外部機器からの給電の要求の有無を再び判断する（Ｓ１３０７）。
【００５２】
ＡＳＩＣ１２は、ＵＳＢコネクタ２２に外部機器が接続されていないか、または、ＵＳＢコネクタ２２に接続されている外部機器から給電要求を受けていないと判断した場合（Ｓ１３０７：ＮＯ）、給電フラグがオンであるか否かを判断する（Ｓ１３１２）。
【００５３】
ＡＳＩＣ１２は、給電フラグがオフであると判断した場合（Ｓ１３１２：ＮＯ）、省電力モードの解除条件が成立したか否かを判断する（Ｓ１３１０）。給電フラグがオンであるとき、ＵＳＢコネクタ２２に接続されている外部機器への給電が行われている。ＡＳＩＣ１２は、給電フラグがオンであると判断した場合（Ｓ１３１２：ＹＥＳ）、外部機器からの給電停止要求があったか否かを判断する（Ｓ１３１３）。
【００５４】
外部機器からコントローラ２４に給電停止要求が通知されると、その給電停止要求がコントローラ２４からＡＳＩＣ１２に通知される。ＡＳＩＣ１２は、コントローラ２４からの給電停止要求の通知を受けていない場合、外部機器からの給電停止要求はないと判断し（Ｓ１３１３：ＮＯ）、省電力モードの解除条件が成立したか否かを判断する（Ｓ１３１０）。
【００５５】
ＡＳＩＣ１２は、コントローラ２４からの給電停止要求の通知を受けており、外部機器からの給電停止要求があったと判断した場合（Ｓ１３１３：ＹＥＳ）、ＡＣ−ＤＣコンバータ３２に給電停止を指示する。給電停止の指示を受けて、ＡＣ−ＤＣコンバータ３２の出力端子４２からの電圧の出力が停止し、ＵＳＢコネクタ２２のＶＢＵＳ端子から外部機器への給電が停止する（Ｓ１３１４）。また、ＡＳＩＣ１２は、給電フラグをオフにする（Ｓ１３１５）。その後、ＡＳＩＣ１２は、省電力モードの解除条件が成立したか否かを判断する（Ｓ１３１０）。
【００５６】
＜省電力モード解除処理＞
図３のＳ１３１１で実行される省電力モード解除処理の流れは、図４に示されている。
【００５７】
省電力モード解除処理では、ＡＳＩＣ１２は、給電フラグがオンであるか否かを判断する（Ｓ１３２１）。ＡＳＩＣ１２は、給電フラグがオンであると判断した場合（Ｓ１３２１：ＹＥＳ）、つまりＵＳＢコネクタ２２に接続された外部機器への給電中である場合、出力可変ＤＣ−ＤＣコンバータ３３に外部機器からの給電要求に応じた電圧の出力を指示する（Ｓ１３２２）。これにより、出力可変ＤＣ−ＤＣコンバータ３３の出力端子４５から給電要求に応じた電圧が出力される。また、ＡＳＩＣ１２は、ＡＣ−ＤＣコンバータ３２に外部機器からの給電要求に応じた電圧に所定電圧αを加えた電圧の出力を指示する（Ｓ１３２３）。この指示を受けて、ＡＣ−ＤＣコンバータ３２の出力端子４２から給電要求に応じた電圧＋αの電圧が出力される。
【００５８】
そして、出力可変ＤＣ−ＤＣコンバータ３３から給電要求に応じた電圧が出力され、ＡＣ−ＤＣコンバータ３２から給電要求に応じた電圧＋αの電圧が出力されている状態において、ＡＳＩＣ１２は、切替スイッチ部３５を第２切替状態から第１切替状態に切り替える（Ｓ１３２４）。切替スイッチ部３５が第２切替状態に切り替わると、ＡＣ−ＤＣコンバータ３２の出力端子４２が電源ライン２５に接続されている状態からモータドライバ５８に接続されている状態に切り替わる。また、出力可変ＤＣ−ＤＣコンバータ３３の出力端子４５が電源ライン２５に接続される。その結果、出力可変ＤＣ−ＤＣコンバータ３３の出力端子４５から電源ライン２５に外部機器からの給電要求に応じた電圧が出力され、その電圧がＵＳＢコネクタ２２のＶＢＵＳ端子を介して外部機器に供給される。
【００５９】
その後、ＡＳＩＣ１２は、ＡＣ−ＤＣコンバータ３２にＤＣ３３Ｖの電圧の出力を指示して（Ｓ１３２５）、省電力モード解除処理を終了する。ＡＣ−ＤＣコンバータ３２の出力端子４２からＤＣ３３Ｖの電圧が出力されることにより、省電力モードが解除されて、画像処理装置１の電力消費モードが通常モードに移行する。
【００６０】
＜作用効果＞
画像処理部１１への電力供給が必要である通常モードでは、ＡＣ−ＤＣコンバータ３２からの直流電圧が画像処理部１１に供給される。ＵＳＢコネクタ２２に接続された外部機器からの給電要求に応じた電圧は、出力可変ＤＣ−ＤＣコンバータ３３から給電端子を介して外部機器へ出力される。
【００６１】
画像処理部１１への電力供給が不要である省電力モードでは、ＵＳＢコネクタ２２に接続された外部機器からの給電要求に応じた電圧は、出力可変ＤＣ−ＤＣコンバータ３３を介さずに、ＡＣ−ＤＣコンバータ３２から外部機器へ出力される。ＡＣ−ＤＣコンバータ３２が出力する直流電圧を出力可変ＤＣ−ＤＣコンバータ３３によって更に変換せずに、給電要求に応じた電圧をＡＣ−ＤＣコンバータ３２から外部機器へ直接に出力することができるので、電力の変換効率が悪くなることを抑制できる。
【００６２】
通常モードから省電力モードへの移行の際には、出力可変ＤＣ−ＤＣコンバータ３３から給電要求に応じた電圧に所定電圧αを加えた電圧が出力される。これにより、ＵＳＢコネクタ２２のＶＢＵＳ端子（電源ライン２５）とグランドとの間に設けられるコンデンサへの電荷の蓄積量が増大する。そして、ＡＣ−ＤＣコンバータ３２から給電要求に応じた電圧の出力が開始された後、切替スイッチ部３５が第１切替状態から第２切替状態に切り替えられて、ＡＣ−ＤＣコンバータ３２が出力する直流電流が外部機器に供給される。これにより、通常モードから省電力モードに切り替わるときに、ＶＢＵＳ端子の電圧が低下することを抑制でき、外部機器に供給される電圧を安定に保つことができる。
【００６３】
また、省電力モードから通常モードへの移行の際には、ＡＣ−ＤＣコンバータ３２から給電要求に応じた電圧に所定電圧αを加えた電圧が出力される。これにより、ＵＳＢコネクタ２２のＶＢＵＳ端子とグランドとの間に設けられるコンデンサへの電荷の蓄積量が増大する。そして、出力可変ＤＣ−ＤＣコンバータ３３から給電要求に応じた電圧の出力が開始された後、切替スイッチ部３５が第２切替状態から第１切替状態に切り替えられて、出力可変ＤＣ−ＤＣコンバータ３３が出力する直流電流が外部機器に供給される。これにより、省電力モードから通常モードに切り替わるときにも、ＶＢＵＳ端子の電圧が低下することを抑制でき、外部機器に供給される電圧を安定に保つことができる。
【００６４】
＜他の実施形態＞
図１には、本発明の一実施形態に係る画像処理装置１が示され、図５には、は、本発明の他の実施形態に係る画像処理装置１０１が示されている。図５において、図１に示される各部に相当する部分には、それらの各部と同一の参照符号が付されている。また、以下では、その同一の参照符号が付された部分の説明を省略する。
【００６５】
画像処理装置１０１では、切替スイッチ部３５は、第１切替状態と第２切替状態と第３切替状態とに切り替えられる。
【００６６】
第１切替状態では、第１入力端子５１と第１出力端子５３とが接続され、第２入力端子５２と第２出力端子５４とが接続される。これにより、第１切替状態では、ＡＣ−ＤＣコンバータ３２の出力端子４２から出力される直流電圧がモータドライバ５８に入力され、出力可変ＤＣ−ＤＣコンバータ３３の出力端子４５から出力される直流電圧が電源ライン２５に入力される。
【００６７】
第２切替状態では、第１入力端子５１と第２出力端子５４とが接続される。これにより、第２切替状態では、ＡＣ−ＤＣコンバータ３２の出力端子４２から出力される直流電圧が電源ライン２５に入力される。
【００６８】
第３切替状態では、第１入力端子５１と第２出力端子５４とが接続され、第２入力端子５２と第１出力端子５３とが接続される。これにより、第３切替状態では、ＡＣ−ＤＣコンバータ３２の出力端子４２から出力される直流電圧が電源ライン２５に入力され、出力可変ＤＣ−ＤＣコンバータ３３の出力端子４５から出力される直流電圧がモータドライバ５８に入力される。
【００６９】
＜給電制御＞
画像処理装置１０１の電源がオンにされると、画像処理装置１０１の各部への給電を制御するため、ＡＳＩＣ１２により、図６に示される給電制御が実行される。画像処理装置１０１の電源がオンにされた直後は、電力消費モードが通常モードに設定され、通常モードでは、切替スイッチ部３５が第１切替状態になっている。また、ＡＳＩＣ１２からＡＣ−ＤＣコンバータ３２にＤＣ３３Ｖの電圧の出力が指示されて、ＡＣ−ＤＣコンバータ３２の出力端子４２から出力されるＤＣ３３Ｖの電圧がモータドライバ５８に供給されている。
【００７０】
この給電制御では、ＡＳＩＣ１２は、まず、ＵＳＢコネクタ２２に外部機器が接続されているか否かを判断し、外部機器が接続されていると判断した場合には、次に、その外部機器からの給電の要求の有無を判断する（Ｓ２１）。
【００７１】
ＡＳＩＣ１２は、ＵＳＢコネクタ２２に外部機器が接続され、外部機器から給電要求を受けていると判断した場合（Ｓ２１：ＹＥＳ）、給電要求に応じた電力がモータＭの駆動電力、つまりモータドライバ５８に供給される電力よりも大きいか否かを判断する（Ｓ２２）。
【００７２】
ＡＳＩＣ１２は、給電要求に応じた電力がモータＭの駆動電力よりも大きくない、つまり駆動電力以下であると判断した場合（Ｓ２２：ＮＯ）、切替スイッチ部３５を第１切替状態のままにする。これにより、ＡＣ−ＤＣコンバータ３２の出力端子４２がモータドライバ５８に接続され、出力可変ＤＣ−ＤＣコンバータ３３の出力端子４５が電源ライン２５に接続された状態が維持される（Ｓ２３）。そして、ＡＳＩＣ１２は、出力可変ＤＣ−ＤＣコンバータ３３に外部機器からの給電要求に応じた電圧の出力を指示する（Ｓ２４）。その結果、ＡＣ−ＤＣコンバータ３２の出力端子４２から出力されるＤＣ３３Ｖの電圧がモータドライバ５８に入力され、出力可変ＤＣ−ＤＣコンバータ３３の出力端子４５から出力される給電要求に応じた電圧が電源ライン２５およびＵＳＢコネクタ２２のＶＢＵＳ端子を介して外部機器に供給される。
【００７３】
ＡＳＩＣ１２は、給電要求に応じた電力がモータＭの駆動電力よりも大きいと判断した場合（Ｓ２２：ＹＥＳ）、切替スイッチ部３５を第１切替状態から第３切替状態に切り替える。これにより、ＡＣ−ＤＣコンバータ３２の出力端子４２が電源ライン２５に接続され、出力可変ＤＣ−ＤＣコンバータ３３の出力端子４５がモータドライバ５８に接続される（Ｓ２５）。そして、ＡＳＩＣ１２は、ＡＣ−ＤＣコンバータ３２に外部機器からの給電要求に応じた電圧の出力を指示する（Ｓ２６）。また、出力可変ＤＣ−ＤＣコンバータ３３に対しては、ＡＳＩＣ１２は、ＤＣ３３Ｖの電圧の出力を指示する。その結果、出力可変ＤＣ−ＤＣコンバータ３３の出力端子４５から出力されるＤＣ３３Ｖの電圧がモータドライバ５８に入力され、ＡＣ−ＤＣコンバータ３２の出力端子４２から出力される給電要求に応じた電圧が電源ライン２５およびＵＳＢコネクタ２２のＶＢＵＳ端子を介して外部機器に供給される。
【００７４】
ＡＳＩＣ１２は、ＡＣ−ＤＣコンバータ３２または出力可変ＤＣ−ＤＣコンバータ３３に給電要求に応じた電圧の出力を指示した後、画像処理装置１０１と通信可能に接続された外部端末から画像形成命令を受けたか否かを判断する（Ｓ２７）。ＡＳＩＣ１２は、画像形成命令を受けたと判断した場合（Ｓ２７：ＹＥＳ）、画像処理部１１を制御して、画像形成処理を実行する（Ｓ２８）。
【００７５】
画像形成処理の終了後、ＡＳＩＣ１２は、画像処理装置１０１の電源がオフにされたか否かを判断する（Ｓ２９）。また、ＡＳＩＣ１２は、画像処理装置１０１と通信可能に接続された外部端末から画像形成命令を受けていないと判断した場合（Ｓ２７：ＮＯ）、その判断に引き続いて、画像処理装置１０１の電源がオフにされたか否かを判断する（Ｓ２９）。
【００７６】
ＡＳＩＣ１２は、電源がオフにされていないと判断した場合（Ｓ２９：ＮＯ）、ＵＳＢコネクタ２２に接続された外部機器からの給電の要求の有無を再び判断する（Ｓ２１）。一方、電源がオフにされたと判断した場合（Ｓ２９：ＹＥＳ）、給電制御を終了する。
【００７７】
ＡＳＩＣ１２は、外部機器への給電中に外部機器から給電要求を受けていないと判断した場合（Ｓ２１：ＮＯ）、外部機器からの給電停止要求があったか否かを判断する（Ｓ３０）。ＡＳＩＣ１２は、コントローラ２４から給電停止要求の通知を受けていない場合、外部機器からの給電停止要求はないと判断し（Ｓ３０：ＮＯ）、画像形成命令を受けたか否かを判断する（Ｓ２７）。
【００７８】
ＡＳＩＣ１２は、コントローラ２４から給電停止要求の通知を受けており、外部機器からの給電停止要求があったと判断した場合（Ｓ３０：ＹＥＳ）、給電要求に応じた電圧を出力しているＡＣ−ＤＣコンバータ３２または出力可変ＤＣ−ＤＣコンバータ３３に給電停止を指示する（Ｓ３１）。給電停止の指示を受けて、ＡＣ−ＤＣコンバータ３２または出力可変ＤＣ−ＤＣコンバータ３３からの電圧の出力が停止し、ＵＳＢコネクタ２２のＶＢＵＳ端子から外部機器への給電が停止する（Ｓ３１）。その後、ＡＳＩＣ１２は、画像形成命令を受けたか否かを判断する（Ｓ２７）。
【００７９】
なお、前回の画像形成処理の終了から所定時間が経過した場合、省電力モード処理が実行されるとよい。省電力モード処理には、図３に示される省電力モード処理を適用でき、その省電力モード処理中の省電力モード解除処理には、図４に示される省電力モード解除処理を適用できる。
【００８０】
＜作用効果＞
この給電制御では、ＵＳＢコネクタ２２に接続された外部機器からの給電要求に応じた電力がモータＭの駆動電力以下である場合、ＡＣ−ＤＣコンバータ３２からの直流電圧が画像処理部１１に供給される。給電要求に応じた電圧は、出力可変ＤＣ−ＤＣコンバータ３３からＶＢＵＳ端子を介して外部機器へ出力される。
【００８１】
ＵＳＢコネクタ２２に接続された外部機器からの給電要求に応じた電力がモータＭの駆動電力よりも大きい場合、給電要求に応じた電圧は、出力可変ＤＣ−ＤＣコンバータ３３を介さずに、ＡＣ−ＤＣコンバータ３２から外部機器へ出力される。ＡＣ−ＤＣコンバータ３２が出力する直流電圧を出力可変ＤＣ−ＤＣコンバータ３３によって更に変換させずに、給電要求に応じた電圧をＡＣ−ＤＣコンバータ３２から外部機器へ直接に出力することができるので、電力の変換効率が悪くなることを抑制できる。
【００８２】
＜変形例＞
以上、本発明の実施の形態について説明したが、本発明は、さらに他の形態で実施することもできる。
【００８３】
たとえば、画像処理装置１の構成は、図１に示される構成に限らず、図７に示される構成であってもよい。図７に示される構成では、切替スイッチ部３５が備えられておらず、ＵＳＢインタフェース２１にスイッチ２６が追加されている。スイッチ２６の一端は、配線５７に接続され、他端は、ＵＳＢコネクタ２２のＶＢＵＳ端子とスイッチ２３との間で電源ライン２５に接続されている。また、配線５５により、ＡＣ−ＤＣコンバータ３２の出力端子４２とモータドライバ５８とが接続されている。
【００８４】
スイッチ２６のオンおよびオフの切り替えは、ＵＳＢインタフェース２１のコントローラ２４により制御される。スイッチ２３がオンにされて、スイッチ２６がオフにされることにより、ＡＣ−ＤＣコンバータ３２の出力端子４２がモータドライバ５８に接続され、出力可変ＤＣ−ＤＣコンバータ３３の出力端子４５が電源ライン２５に接続される。これにより、その接続状態は、図１に示される切替スイッチ部３５の第１切替状態と同じ状態となる。また、スイッチ２３がオフにされて、スイッチ２６がオンにされることにより、ＡＣ−ＤＣコンバータ３２の出力端子４２が電源ライン２５に接続される。これにより、その接続状態は、図１に示される切替スイッチ部３５の第２切替状態と同じ状態となる。
【００８５】
また、前述の実施形態では、ＡＳＩＣ１２により、切替スイッチ部３５の切り換えが制御され、ＡＣ−ＤＣコンバータ３２および出力可変ＤＣ−ＤＣコンバータ３３に出力電圧が指示される構成としたが、ＵＳＢインタフェース２１のコントローラ２４により、切替スイッチ部３５の切り換えが制御され、ＡＣ−ＤＣコンバータ３２および出力可変ＤＣ−ＤＣコンバータ３３に出力電圧が指示される構成が採用されてもよい。これにより、制御部の一例としてのコントローラ２４からＡＳＩＣ１２に通知される情報量を低減でき、制御の効率化を図ることができる。
【００８６】
さらに、画像処理部１１が画像形成部であるとしたが、画像処理部１１は、原稿をイメージセンサで読み取って画像データを生成する画像読取部であってもよい。
【００８７】
その他、前述の構成には、特許請求の範囲に記載された事項の範囲で種々の設計変更を施すことが可能である。
【符号の説明】
【００８８】
１，１０１：画像処理装置
１１：画像処理部
１２：ＡＳＩＣ
２２：ＵＳＢコネクタ
２４：コントローラ
３１：電源部
３２：ＡＣ−ＤＣコンバータ
３３：出力可変ＤＣ−ＤＣコンバータ
３５：切替スイッチ部
【図１】
2020057119.tif 000003
【図２】
2020057119.tif 000004
【図３】
2020057119.tif 000005
【図４】
2020057119.tif 000006
【図５】
2020057119.tif 000007
【図６】
2020057119.tif 000008
【図７】
2020057119.tif 000009